(57)【特許請求の範囲】
【請求項１】
チタン金属コーティングがされた磁性体金属からなりスプーン状の形状を有する耳かき部分と、
チタン金属コーティングがされた磁性体金属からなる柄の部分と、
前記柄の部分の後端部分に着脱可能に装着され耳かき軸と平行方向に磁化された永久磁石と
を具備することを特徴とする金属製耳かき。
【請求項２】
チタン金属コーティングがされた磁性体金属からなりスプーン状の形状を有する耳かき部分と、
チタン金属コーティングがされた磁性体金属からなる柄の部分と、
前記柄の部分の後端部分に着脱可能に装着され耳かき軸と直交する方向に磁化された永久磁石と
を具備することを特徴とする金属製耳かき。
【請求項３】
請求項１もしくは２に記載の金属製耳かきにおいて、前記柄の部分の断面が略かまぼこ状であることを特徴とする金属製耳かき。
【請求項４】
請求項１乃至３のうちいずれか１項記載の金属製耳かきにおいて、前記永久磁石を取り外した部分に綿玉及び／もしくはネームプレートが取り付け可能であることを特徴とする金属製耳かき。
【発明の詳細な説明】
【技術分野】
【０００１】
本発明は、たとえば金属製耳かきに係り、特に磁気治療用の強力磁石を付した、アレルギーフリーの金属製耳かきに関する。
【背景技術】
【０００２】
従来、耳かきとしては竹製や木製のものが多かったが、耐久性や柔軟性に欠けるため金属製のものも使われている。しかし、通常の金属を用いると金属アレルギーを引き起こす場合があり、特に耳穴の様な過敏な部分に当てる金属には充分な注意が必要である。
【０００３】
引用文献１では、上記のような観点から、従来の耳かきの掻く部分をスプーン状ではなく、チタン材（チタン、チタン合金、チタン形状合金、通称ゴムメタル）を用いたワイヤを使用した耳かきとしている。
【０００４】
チタン金属を用いるため、ステンレスやニッケル等による金属アレルギーを発生することがなく、耳を掻く部分がワイヤ形状のため外耳道表面に傷をつけ難い点が優れていると考えられる。しかし、ドライタイプの耳垢除去を主眼としているため、日本人に意外と多い軟耳垢（湿った耳垢）、いわゆる飴耳の除去には、耳を掻く部分が従来型のスプーン形状のものの方が優れている。
【０００５】
また、ワイヤ型の耳かきのため、粉体状のドライタイプの耳垢を取りきれない恐れがある。このような粉体状の耳垢の除去には通常使われている綿玉状の耳垢取りが適している。
【０００６】
一方、耳かきによって外耳、内耳の神経が刺激されて耳の痛みや頭痛、耳鳴りやめまいを引き起こすことがある。この点への対処として、外耳、内耳の血流を促したり、神経を鎮静化してやることが有効とされている。
【先行技術文献】
【特許文献】
【０００７】
【特許文献１】実用新案登録第３０２４４３３号公報
【発明の概要】
【発明が解決しようとする課題】
【０００８】
前述のように、金属製耳かきにおいて、金属アレルギーを引き起こすことなく、ドライタイプ、湿ったタイプのどちらの耳垢も適正に除去できる耳かきの実現が本願の課題とするところである。また、上記とともに耳かきによって刺激された神経を静めることも本願の課題とするところである。
【課題を解決するための手段】
【０００９】
上記のような各課題を解決するために、本発明に係る金属製耳かきにおいては、スプーン形状の耳かき部分及び柄の部分にチタン金属をコーティングしたステンレスや鉄のような磁性体金属を用いる。前記柄の部分の後端部分に永久磁石を取り付けて、先端の耳かき部分からの磁力線により耳穴内のつぼの血行を促すと共に、後端の永久磁石を外耳のつぼに押し当てて血流を促し、神経の鎮静化を図る。
【００１０】
またこの場合に、前記柄の部分の断面形状を略かまぼこ状としてもよい。
【００１１】
さらにこの場合に、前記永久磁石を着脱式にしてもよい。
【００１２】
さらにまたこの場合に、磁化方向の異なる永久磁石を用いるとしてもよい。
【００１３】
またこの場合に、永久磁石を取り外した部分に綿玉及び／もしくはネームプレートを取り付け可能としてもよい。
【発明の効果】
【００１４】
以上、説明したように、本発明に係る金属製耳かきは、チタン金属（チタン、チタン合金等）をコーティングした磁性体金属を用いることにより、金属アレルギーを引き起こすことなく、耳かき先端形状をスプーン形状とすることによりドライタイプ、湿ったタイプの両方の耳垢除去に対応することができる。
【００１５】
柄の部分の断面形状を略かまぼこ型としたため、持ちやすく、スプーンの方向が略かまぼこ型の平坦部材の感覚でわかるため効率良く耳垢除去ができる。
【００１６】
また、耳かき後端に永久磁石を装備し、その磁力線を磁性体金属中を通して先端部から耳穴内に放射する。耳かき先端部で耳穴中の耳垢を取ると共に耳穴内のつぼに当たり、つぼの血流を促すことができる。さらに、永久磁石を外耳のつぼに押し当てて外耳のつぼの血流を促し、耳かきによって刺激された耳穴内の神経を鎮静化することができる。また、それぞれの耳つぼに適した磁化方向の異なる永久磁石を用いることにより、より一層確実に耳穴内神経を鎮静化することができる。
【００１７】
更に、この永久磁石を着脱式とし、永久磁石の代わりに綿玉や綿棒を取り付けることができ、これらにより耳垢除去をほぼ完全に行うことが可能となる。
【図面の簡単な説明】
【００１８】
【図１】本発明の一実施形態に係る金属製耳かきの概略図である。
【図１Ａ】図１に磁力線を加えた図である。
【図２】本発明の一実施形態に係る金属製耳かきの断面図である。
【図３】本発明の一実施形態に係る金属製耳かきの着脱部の概略図である。
【図４】本発明の一実施形態に係る金属製耳かきの永久磁石の磁化方向説明図である。
【図５】耳の経絡のつぼを示す図である。
【発明を実施するための形態】
【００１９】
以下、図面を参照して本発明の一実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２０】
図１は本発明の一実施形態に係る金属製耳かき１の概略図である。本発明に係る金属製耳かき１は、先端がスプーン状の耳かき部分を有するチタン金属コーティングした磁性体金属製の柄２の部分と、柄２の後端に装着される永久磁石４とを備えて構成される。同じく図１の永久磁石４からの磁力線は、図１Ａの点線１０で示す通り（側面図の磁力線は表示略）、耳かき柄２の磁性体金属を通り、耳かき先端部のチタン金属コーティングを抜けて耳穴中に放射される。
【００２１】
チタン製の柄２の部分の断面形状は、図２に示す通り、先端のスプーン状耳かき部分のスプーンの平坦部３に連続する平坦部５を有する略かまぼこ状であり、使用者（図示せず）は平坦部５を手先で確認しながら耳かきを行うことができる。
【００２２】
図１においては、チタン金属コーティングした磁性体金属製の柄２と後端の永久磁石４とは一体構造とした例を示しているが、図３の如くチタン金属製の柄２の後端を雄ねじ構造、永久磁石４の一端を当該雄ねじと嵌合する雌ねじ構造とし（柄２及び永久磁石４のねじ構造の組合せについてはこの逆でも良い）、柄２と永久磁石４とを着脱可能構造とすることができる。
【００２３】
上記説明では、チタン金属製の柄２と永久磁石４との接合部を雄ねじ及び雌ねじを用いる例を示したが、差し込み式等の一般技術による結合方法を用いても良いことは自明である。
【００２４】
また、永久磁石４には、図４（Ａ）、（Ｂ）のように、耳かき軸に平行方向に磁化され、正負が逆なものと、耳かき軸に直交する方向に磁化された同図（Ｃ）に示すものとがある。これら図４（Ａ）、（Ｂ）、（Ｃ）の磁力線が耳かき先端部より耳穴中のつぼに当たることにより血管中のヘモグロビン鉄に働きかけてツボ部分の血流を促すこととなる。また、耳かき後端部の永久磁石４を図５に示す耳のつぼに適合した部分に押し当てることにより耳つぼの血流を促し、同時に耳かきによって刺激された神経を鎮静することも可能となる。
【００２５】
図５は、耳のつぼの一例を示した図で、５−１から５−９はそれぞれ、神門、腰痛帯、腎、大腸、噴門、飢点、肺、内分泌、脳下垂体と呼ばれている。耳の神経を鎮静化するには図示するつぼ以外にも色々存在するようであるが、５−８の内分泌に永久磁石を押し当てると、耳かきのかき過ぎによる痛みの軽減に効果があるといわれている。
【００２６】
上記のような効果を高めるためには、永久磁石としてネオジウム磁石のような磁力の強力な永久磁石を使用することが望ましい。
【産業上の利用可能性】
【００２７】
上述してきたように、本発明によれば、金属アレルギーを引き起こすことなく、竹製や樹脂製に比して各段の耐久性を有する耳かきを実現することができる。また、耳かき先端部からの磁力線によって血流を促すと共に、本発明の耳かき後端部に設置された永久磁石を耳のつぼに押し当てることにより血行を促し、神経を鎮静することができる。この永久磁石は、耳のつぼに押し当てるばかりでなく、身体の主要なツボに押し当てることにより健康増進にも役立てる可能性がある。
【００２８】
さらに、上記永久磁石の磁気吸着力を利用して、ロッカー等の金属製家具や什器に本発明の耳かきを吸着させておけば、紛失しやすい耳かきの保管に大変便利である。
【符号の説明】
【００２９】
１…本発明の金属製耳かき、２…柄、２−１…雄ねじ、３…スプーンの平坦部、４…永久磁石、４−１…雌ねじ、５…柄の平坦部、５―１…神門、５‐２…腰痛帯、５−３…腎、５−４…大腸、５−５…噴門、５−６…飢点、５−７…肺、５−８…内分泌、５−９…脳下垂体、６…綿玉、１０…磁力線
【要約】
【課題】耐久性の高い金属を用いるにもかかわらず、金属アレルギーを引き起こすことなく、耳かきによって刺激された耳の神経を鎮静化することができる耳かきの実現。
【解決手段】金属製アレルギーを引き起こすことのないチタン金属を用いた耳かきに、永久磁石を結合し、該永久磁石を耳の経絡のつぼに押し当てることにより耳の神経を鎮静化する。
【選択図】図１【図１】
0005883182.tif 000002
【図１Ａ】
0005883182.tif 000003
【図２】
0005883182.tif 000004
【図３】
0005883182.tif 000005
【図４】
0005883182.tif 000006
【図５】
0005883182.tif 000007